【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
左目用画像と右目用画像とをライン毎に表示することによって、遊技者に立体画像又は平面画像として認識させる表示装置と、
前記左目用画像及び右目用画像の更新のタイミング信号を発生させる更新タイミング信号発生手段と、
前記左目用画像と前記右目用画像とを生成すると共に、前記生成した画像を、前記タイミング信号に関連して前記表示装置に表示する表示制御手段と、を備えた遊技機において、
前記表示制御手段は、
前記表示装置に表示される画像を、遊技者に立体画像として認識可能に表示する場合に、互いに視差を有する左目用画像と右目用画像とを交互に生成する画像交互生成手段と、
前記表示装置に表示される画像を、遊技者に平面画像として認識可能に表示する場合に、互いに視差を有しない左目用画像と右目用画像とを、同時に生成する画像同時生成手段と、を備えたことを特徴とする遊技機。
【請求項２】
前記表示制御手段は、
前記画像交互生成手段又は前記画像同時生成手段から左目用画像及び右目用画像を受け入れる受入手段と、
前記受入手段によって受け入れた画像を合成して、表示装置に対して出力する画像合成手段と、を有し、
前記画像合成手段は、
遊技者が立体画像として認識可能な立体表示を行う際には、前記画像交互生成手段から受け入れた左目用画像及び右目用画像をライン毎に交互に合成して表示装置に出力し、
遊技者に立体画像として認識させる平面表示を行う際には、前記画像同時生成手段から受け入れた互いに視差を有しない左目用画像及び右目用画像をそのまま表示装置に出力することを特徴とする請求項１に記載の遊技機。
【請求項３】
前記画像交互生成手段によって生成される左目用画像及び右目用画像の大きさ、並びに、前記画像同時生成手段によって生成される画像の大きさは同一であることを特徴とする請求項１又は２に記載の遊技機。
【請求項４】
前記表示装置は、
前記ライン毎に画像を表示可能な液晶表示パネルと、
前記液晶表示パネルを透過する光の偏光特性を、前記ライン毎に異ならせる微細位相差板と、
異なる偏光特性の光を、前記微細位相差板と前記液晶表示パネルとに透過させ、透過した光を観察者の左目及び右目に到達させる光源と、を含んで構成され、
前記画像交互生成手段は、前記左目用画像と前記右目用画像とを、前記ラインに対応させて１ライン毎にずらして生成することを特徴とする請求項１から３のいずれか一つに記載の遊技機。
【請求項５】
前記画像交互生成手段によって画像を生成するか、画像同時生成手段によって画像を生成するか、を指令する指令手段を備えたことを特徴とする請求項１から４のいずれか一つに記載の遊技機。
【手続補正２】
【補正対象書類名】明細書
【補正対象項目名】０００７
【補正方法】変更
【補正の内容】
【０００７】
【課題を解決するための手段】
第１の発明は、左目用画像と右目用画像とをライン毎に表示することによって、遊技者に立体画像又は平面画像として認識させる表示装置と、前記左目用画像及び右目用画像の更新のタイミング信号を発生させる更新タイミング信号発生手段と、前記左目用画像と前記右目用画像とを生成すると共に、前記生成した画像を、前記タイミング信号に関連して前記表示装置に表示する表示制御手段と、を備えた遊技機において、前記表示制御手段は、前記表示装置に表示される画像を、遊技者に立体画像として認識可能に表示する場合に、互いに視差を有する左目用画像と右目用画像とを交互に生成する画像交互生成手段と、前記表示装置に表示される画像を、遊技者に平面画像として認識可能に表示する場合に、互いに視差を有しない左目用画像と右目用画像とを、同時に生成する画像同時生成手段と、を備えたことを特徴とする。
【手続補正３】
【補正対象書類名】明細書
【補正対象項目名】０００８
【補正方法】変更
【補正の内容】
【０００８】
第２の発明は、第１の発明において、前記表示制御手段は、前記画像交互生成手段又は前記画像同時生成手段から左目用画像及び右目用画像を受け入れる受入手段と、前記受入手段によって受け入れた画像を合成して、表示装置に対して出力する画像合成手段と、を有し、前記画像合成手段は、遊技者が立体画像として認識可能な立体表示を行う際には、前記画像交互生成手段から受け入れた左目用画像及び右目用画像をライン毎に交互に合成して表示装置に出力し、遊技者に立体画像として認識させる平面表示を行う際には、前記画像同時生成手段から受け入れた互いに視差を有しない左目用画像及び右目用画像をそのまま表示装置に出力することを特徴とする。
【手続補正４】
【補正対象書類名】明細書
【補正対象項目名】００１０
【補正方法】変更
【補正の内容】
【００１０】
第４の発明は、第１から３の発明において、前記表示装置は、前記ライン毎に画像を表示可能な液晶表示パネルと、前記液晶表示パネルを透過する光の偏光特性を、前記ライン毎に異ならせる微細位相差板と、異なる偏光特性の光を、前記微細位相差板と前記液晶表示パネルとに透過させ、透過した光を観察者の左目及び右目に到達させる光源と、を含んで構成され、前記画像交互生成手段は、前記左目用画像と前記右目用画像とを、前記ラインに対応させて１ライン毎にずらして生成することを特徴とする。
【手続補正５】
【補正対象書類名】明細書
【補正対象項目名】００１２
【補正方法】変更
【補正の内容】
【００１２】
【発明の作用と効果】
したがって、第１の発明によると、表示制御手段は、表示装置に表示される画像を、遊技者に立体画像として認識可能に表示する場合に、互いに視差を有する左目用画像と右目用画像とを交互に生成する画像交互生成手段と、前記表示装置に表示される画像を、遊技者に平面画像として認識不可能に表示する場合に、互いに視差を有しない左目用画像と右目用画像とを、同時に生成する画像同時生成手段と、を備えたので、立体画像表示を行うときは、左目用画像と右目用画像が交互に生成されて画像が更新されるので左目用画像と右目用画像を同時に生成させるような複雑な回路を必要とせず、また、平面表示を行うときは、左目用画像と右目用画像は互いに視差の無い画像となるので、同時生成しても負荷は大きくならず、更新速度の方を優先して高めることができる。
【手続補正６】
【補正対象書類名】明細書
【補正対象項目名】００１３
【補正方法】変更
【補正の内容】
【００１３】
また、第２の発明によると、前記表示制御手段は、前記画像交互生成手段又は前記画像同時生成手段から左目用画像及び右目用画像を受け入れる受入手段と、前記受入手段によって受け入れた画像を合成して、表示装置に対して出力する画像合成手段と、を有し、前記画像合成手段は、遊技者が立体画像として認識可能な立体表示を行う際には、前記画像交互生成手段から受け入れた左目用画像及び右目用画像をライン毎に交互に合成して表示装置に出力し、遊技者に立体画像として認識させる平面表示を行う際には、前記画像同時生成手段から受け入れた互いに視差を有しない左目用画像及び右目用画像をそのまま表示装置に出力するので、画像を生成する処理と、画像合成する処理を分離することで処理の負担を軽減でき、さらに、奇数（又は偶数）ライン毎に画像を合成するので、綺麗な画像を合成できる。
【手続補正７】
【補正対象書類名】明細書
【補正対象項目名】００１５
【補正方法】変更
【補正の内容】
【００１５】
また、第４の発明によると、前記表示装置が、前記ライン毎に画像を表示可能な液晶表示パネルと、前記液晶表示パネルを透過する光の偏光特性を前記ライン毎に異ならせる微細位相差板と、異なる偏光特性の光を前記微細位相差板と前記液晶表示パネルとに透過させて透過した光を観察者の左目及び右目に到達させる光源とを含んで構成され、前記左目用画像と前記右目用画像とが前記液晶表示パネルのラインに対応して１ライン毎にずらして生成されるので、左目には到達するが右目には到達しない左目用画像と、右目には到達するが左目には到達しない右目用画像とを生成して、液晶表示パネルに立体視用の画像を表示することができる。